(57)【要約】【課題】  従来、電動・エンジンで動くラジコンの操縦を楽しむためには、広い場所、天候、騒音の問題、ランニングコストなどをクリアしなければならなかった。【解決手段】  本発明は上記課題を解決するために、家庭用テレビゲーム機の車・バイクゲームの操作を自分のプロポで行うことにより、室内で手軽にラジコンを操作している疑似体験が可能となる。  プロポ１で無線送信されたステアリング、アクセル、ブレーキ信号をレシーバーボックス７で受信し、ステアリング、アクセル、ブレーキケーブル（１１、１２、１３）から専用のコントローラー１０に送る。  コントローラー１０の接続ケーブル１４でテレビゲーム機に各信号を伝達することにより、ラジコン用プロポが車・バイクゲームのコントローラーとなる。【選択図】  図１
2005095541.tif 000002
【特許請求の範囲】
【請求項１】
ラジコン用プロポを家庭用テレビゲーム機のコントローラーとして使用する。
【発明の詳細な説明】
【技術分野】
【０００１】  本発明は、ラジコン用プロポを家庭用テレビゲーム機のゲームコントローラーとして使用するものである。
【背景技術】
【０００２】  従来、ラジコン用のプロポは電動・エンジンで動く車・バイクなどを操縦する為のものである。
【発明の開示】
【発明が解決しようとする課題】
【０００３】  従来、電動・エンジンで動くラジコンの車・バイクの操縦を手軽に楽しむことが出来ない理由として以下の欠点が挙げられる。
イ）広い場所が必要。
ロ）雨天時の屋外での操縦は不可。
ハ）騒音の発生があることから住宅街での早朝・夜間には操縦を控える。
ニ）スピードが出るため、小さな子供には操縦が危険。
ホ）バッテリー、ガソリン、消耗部品によりランニングコストがかかる。【０００４】  本発明は、もっと手軽にラジコンの操縦を楽しむため、ラジコン用プロポを家庭用テレビゲーム機のコントローラーとして使用することを目的としている。
【課題を解決するための手段】
【０００５】  ラジコン用プロポを家庭用テレビゲーム機のコントローラーとして使用するために、プロポ１で無線送信されたステアリング、アクセル、ブレーキ信号をレシーバーボックス７で受信し、ステアリング、アクセル、ブレーキケーブル（１１、１２、１３）から専用のコントローラー１０に送る。コントローラー１０の接続ケーブル１４でテレビゲーム機に各信号を伝達することにより、ラジコン用プロポが車・バイクゲームのコントローラーとなる。
【発明の効果】
【０００６】  本発明により、小さな子供から大人まで時間・場所を気にせず、安全かつ手軽にテレビゲーム上の車・バイクを各個人がラジコンを操作する時に使用しているプロポで操作することにより、ラジコンを操縦しているような擬似体験が可能となる。
【発明を実施するための最良の形態】
【０００７】  以下、本発明の実施の形態と使用方法について説明する。【０００８】  まず、専用コントローラー１０とテレビゲーム機を接続ケーブル１４で接続。次にコントローラー１０のボタン（ステアリング４５、アクセル４６、ブレーキ４７）の回路につないだステアリングジャック４２、アクセルジャック４３、ブレーキジャック４４にレシーバーボックス７から出ているステアリング、アクセル、ブレーキケーブル（１１、１２、１３）を各々接続する。【０００９】  そして、レシーバーボックス７にラジコン用７．２Ｖバッテリー８を接続。テレビゲーム機の電源スイッチＯＮ、続いてプロポ１の電源スイッチ１７、レシーバーボックス７の電源スイッチ９、ブレーキキバン２３の電源スイッチ２６をＯＮにする。【００１０】  次に、プロポ１のトリガー３に指が触れない状態（ニュートラル）時、モーター３７が回転する直前になるようスロットルトリム５のダイアルを回転させて調整する。この時、緑ＬＥＤ２２の点灯も確認、同時に外部からは確認できないが光センサ２７内の白ＬＥＤ２８も点灯している（以後、この調整はレシーバーボックス７の電源スイッチ９を入れた際、緑ＬＥＤ２２が点灯してモーター３７が回転していなければ必要ない）。【００１１】  コントローラー１０のセレクトボタン１６、スタートボタン１５などで車・バイクのゲームをスタートさせる。【００１２】  イ）ステアリング信号
ゲーム中にプロポ１のステアリング２を左もしくは右に回転させると、プロポ１の送信アンテナ１８から出た無線信号が、レシーバーボックス７の受信アンテナ１９で受信され、アンプ＆レシーバー３２によってステアリング２の回転角度に応じた信号がサーボ３５に送られる。【００１３】  サーボ３５によってボリューム３６の抵抗値が変化し、ボリューム３６から出るステアリングケーブル１１でコントローラー１０にステアリング信号５０が送られ、ゲーム上の車・バイクが左もしくは右に動く。【００１４】  ステアリング２に触れていない状態でゲーム上の車・バイクが直進しない時は、プロポ１のスロットルトリム５のダイアルを回転させて直進するようにサーボ３５のニュートラル時の角度調整を行う。【００１５】  また、舵角調整ダイアル６でステアリング２を回転させた時のゲーム上の車・バイクの左右の舵角量を変更できる。【００１６】  ロ）アクセル信号
ゲーム中にプロポ１のトリガー３をグリップ２０の方向に動かすと、プロポ１の送信アンテナ１８から出た無線信号が、レシーバーボックス７の受信アンテナ１９で受信され、バッテリー８からアンプ＆レシーバー３２とアクセルキバン２１によって制御された電流によりモーター３７が回転し、ベルト３９を介してプーリー３８も回転を始める。【００１７】  プーリー３８に取付けたマグネット４０の回転によってリードスイッチ４１がＯＮ／ＯＦＦ信号を出す。この信号がアクセル信号５１としてリードスイッチ４１から出るアクセルケーブル１２によってコントローラー１０に送られる。【００１８】  トリガー３をグリップ２０の方向に動かす移動量が大きいほどモーター３７の回転が速くなる。リードスイッチ４１のＯＮ／ＯＦＦ周期が速いと、コントローラー１０の中の回路が、アクセルボタン４６を強く押した状態であると判断し、ゲーム上の車・バイクのスピードが速くなる。周期が遅い（モーター３７の回転が遅い）と、アクセルボタン４６を弱く押した状態であると判断し、ゲーム上の車・バイクのスピードは速くならない。【００１９】  ハ）ブレーキ信号
ゲーム中にプロポ１のトリガー３をグリップ２０と逆の方向に動かすと、プロポ１の送信アンテナ１８から出た無線信号が、レシーバーボックス７の受信アンテナ１９で受信され、アンプ＆レシーバー３２によって光センサ２７内にある白ＬＥＤ２８の電流が断たれ消灯、Ｃｄｓセル２９の抵抗値が高くなり、ブレーキキバン２３のトランジスタＢ３０のスイッチング作用によってリレー２５にバッテリー８から電流が流れ、リレー２５がＯＮ、赤ＬＥＤ２４点灯。リレー２５から出るブレーキケーブル１３によってコントローラー１０にブレーキ信号５２が送られる。【００２０】  トリガー３をグリップ２０の方向に動かす、もしくはニュートラルの状態に戻すと再び白ＬＥＤ２８が点灯し、リレー２５に電流が流れなくなりブレーキ信号５２はＯＦＦとなる。赤ＬＥＤ２４も消灯。【００２１】  以上によりテレビゲーム機のコントローラーとしてラジコン用プロポが機能する。【００２２】  ラジコン用プロポ１の形状は、図１に使用したホイラータイプとは別にスティックタイプもあるが、ステアリング２とトリガー３がスティック形状になるだけで何ら変わりはない。【００２３】  アンプ＆レシーバー３２のクリスタル３４を変更すればＡＭ周波数１２種類、レシーバーを変更すればＦＭ周波数にも対応する事が出来る。【００２４】  コントローラー１０を家庭用の各テレビゲーム機（プレイステーション、ゲームキューブなど）に対応させると、多種のテレビゲーム機で本発明が利用可能である。
【図面の簡単な説明】
【００２５】
【図１】本発明の構成図
【図２】コントローラー１０の斜視図
【図３】レシーバーボックス７の一部を切り欠いた斜視図
【図４】サーボ３５とボリューム３６の位置関係（図３を底面から見た部分斜視図）
【図５】レシーバーボックス７とコントローラー１０の信号経路図
【符号の説明】
【００２６】１  プロポ    ２  ステアリング    ３  トリガー    ４  ステアリングトリム
５  スロットルトリム    ６  舵角調整ダイアル    ７  レシーバーボックス
８  バッテリー    ９  電源スイッチ    １０  コントローラー
１１  ステアリングケーブル    １２  アクセルケーブル
１３  ブレーキケーブル    １４  接続ケーブル    １５  スタートボタン
１６  セレクトボタン    １７  電源スイッチ    １８  送信アンテナ
１９  受信アンテナ    ２０  グリップ    ２１  アクセルキバン
２２  緑ＬＥＤ    ２３  ブレーキキバン    ２４  赤ＬＥＤ    ２５  リレー
２６  電源スイッチ    ２７  光センサ    ２８  白ＬＥＤ    ２９  Ｃｄｓセル
３０  トランジスタＢ    ３１  トランジスタＡ    ３２  アンプ＆レシーバー
３３  電源スイッチ  ３４  クリスタル    ３５  サーボ    ３６  ボリューム
３７  モーター    ３８  プーリー    ３９  ベルト    ４０  マグネット
４１  リードスイッチ    ４２  ステアリングジャック    ４３  アクセルジャック
４４  ブレーキジャック    ４５  ステアリングボタン    ４６  アクセルボタン
４７  ブレーキボタン    ５０  ステアリング信号    ５１  アクセル信号
５２  ブレーキ信号    ５３  サーボ駆動信号    ５４モーター駆動信号
５５  リレー・赤ＬＥＤ駆動信号    ５６  モーター・白ＬＥＤ・緑ＬＥＤ駆動信号
５７  白ＬＥＤ駆動信号    ５８  アンプ電源    ５９  ブレーキキバン電源
【図１】
2005095541.tif 000003
【図２】
2005095541.tif 000004
【図３】
2005095541.tif 000005
【図４】
2005095541.tif 000006
【図５】
2005095541.tif 000007